【事件の表示】
　特願２０１２−２３１９２９「Ｘ線診断装置」拒絶査定不服審判事件〔平成２６年　５月１２日出願公開、特開２０１４−　８３０８５〕について、次のとおり審決する。
【結　論】
　本件審判の請求は、成り立たない。
【理　由】
第１　手続の経緯
　本願は、平成２４年１０月１９日の出願であって、平成２８年７月２８日付けの拒絶理由の通知に対し、同年１０月３日に意見書及び手続補正書が提出され、平成２９年３月６日付けの拒絶理由（最後の拒絶理由）の通知に対し、同年５月１２日に意見書及び手続補正書が提出されたが、同年１０月１７日付けで、同年５月１２日にされた手続補正についての補正の却下の決定及び拒絶査定がなされ、これに対して、平成３０年２月７日に拒絶査定不服審判の請求がなされると同時に手続補正がなされたものである。
第２　平成３０年２月７日にされた手続補正についての補正の却下の決定
［補正の却下の決定の結論］ 
　平成３０年２月７日にされた手続補正（以下、「本件補正」という。）を却下する。
[理由]
１　本件補正について（補正の内容）
（１）本件補正後の特許請求の範囲の記載 
　本件補正により、特許請求の範囲の請求項１の記載は、次のとおり補正された。（下線部は、補正箇所である。） 
  
　「被検体を挟んで対向配置されるよう支持部材に支持されたＸ線管およびＸ線検出部を備えたＸ線診断装置であって、
　前記Ｘ線管から放射されるＸ線の照射範囲を調整するＸ線照射野絞りと、
　前記支持部材に対する前記Ｘ線管の角度を変更可能に前記支持部材に対して前記Ｘ線管を保持し、前記Ｘ線検出部の検出面に対する前記Ｘ線管の管軸の角度を、撮影術式ごとの撮影条件
と
と
と
　を備
え、
　前記撮影プロトコルに応じて分解能を向上させて照射野を狭くする場合は、前記Ｘ線管の実効焦点が小さくなるよう前記Ｘ線管の管軸の角度を変更するとともに当該管軸の変更後の角度に応じたサイズの照射野になるよう前記Ｘ線照射野絞りの開口のサイズを変更し、前記撮影プロトコルに応じて分解能を低下させて照射野を広げる場合は、前記Ｘ線管の実効焦点が大きくなるよう前記Ｘ線管の管軸の角度を変更するとともに前記管軸の変更後の角度に応じたサイズの照射野になるよう前記Ｘ線照射野絞りの開口のサイズを変更する、
　
（２）本件補正前の特許請求の範囲の記載 
　本件補正前の、平成２８年１０月３日にされた手続補正により補正された特許請求の範囲の請求項１の記載は、次のとおりである。
　「被検体を挟んで対向配置されるよう支持部材に支持されたＸ線管およびＸ線検出部を備えたＸ線診断装置であって、
　前記支持部材に対する前記Ｘ線管の角度を変更可能に前記支持部材に対して前記Ｘ線管を保持し、前記Ｘ線検出部の検出面に対する前記Ｘ線管の管軸の角度を、撮影術式ごとの撮影条件及び透視条件を含む撮影プロトコルに応じて変更する管球保持部、
　を備えたＸ線診断装置。」
２　補正の適否
　本件補正は、本件補正前の請求項１に記載した発明を特定するために必要な事項である「撮影プロトコルに応じて変更する」対象として、「Ｘ線照射野絞りの開口のサイズ」という限定を付加するものであって、補正前の請求項１に記載された発明と補正後の請求項１に記載される発明の産業上の利用分野及び解決しようとする課題が同一であるから、特許法第１７条の２第５項第２号の特許請求の範囲の減縮を目的とするものに該当する。
　そこで、本件補正後の請求項１に記載された発明（以下、「本件補正発明」という。）が同条第６項において準用する同法第１２６条第７項の規定に適合するか（特許出願の際独立して特許を受けることができるものであるか）について、以下、検討する。 
（１）本件補正発明 
　本件補正発明は、上記１（１）に記載したとおりのものである。 
（２）引用文献等
ア　引用文献４
（ア）引用文献４の記載事項
　原査定の拒絶の理由に引用された、本願の出願前に頒布された刊行物である特開２０１１−１０４３５３号公報（以下「引用文献４」という。）には、図面とともに、次の事項が記載されている。（下線は当審において付した。）
（引４−ア）
「【０００２】
　平面検出器（flat panel detector：以下ＦＰＤと呼ぶことにする）を使用して、血管や臓器のＸ線透視・撮影が行われている。また、穿通枝や非対称ステント等の微細な部分（２００μｍ以下）の抽出用として、マイクロアンギオ検出器（micro angio detector：以下ＭＡと呼ぶことにする）が考案されている。現在、ＦＰＤとＭＡとの両方を搭載し、ＦＰＤとＭＡとを切替えて使用可能なＸ線診断装置が開発されている。」
（引４−イ）
「【０００９】
（第１実施形態）
　図１は、第１実施形態に係るＸ線診断装置１の構成を示す図である。図１に示すように、
Ｘ線診断装置１は、撮影機構１０を有している。
撮影機構１０は、
スタンドにより床に
設置されたＣアームホルダ１１を有している。Ｃアームホルダ１１は、Ｃアーム１３を
スライド可能に支持している。
Ｃアーム１３は、Ｘ線管１５とＸ線検出器１７とを互いに向き合わせて搭載している。
　【００１０】
　
Ｘ線透視・撮影時においては、被検体Ｐが載置される天板１９がＸ線管１５とＸ線検出器１７との間に移動される。
　【００１１】
　Ｘ線管１５は、Ｘ線制御部２３の制御のもと高電圧発生部２５からの高電圧の印加とフィラメント電流の供給とを受けてＸ線を発生する。
Ｘ線管１５のＸ線照射口には、絞り機構２７が取り付けられている。
絞り機構２７は、Ｘ線を遮蔽する物質から構成された絞り羽根を移動可能に支持している。
絞り羽根の位置が調整されることで、撮像視野（field of view：以下、ＦＯＶと呼ぶことにする）のサイズや形状が変化される。
　【００１２】
　
Ｘ線管１５は、Ｃアーム１３に取り付けられた傾斜機構３１上に搭載される。傾斜機構３１は、Ｘ線管１５を傾斜可能に支持する。
Ｘ線管１５を
傾斜させることで、
Ｘ線の実効焦点のサイズを変化させる。
　【００１３】
　Ｘ線検出器１７は、Ｘ線管１５から発生されたＸ線を検出する。具体的には、
Ｘ線検出器１７は、ＦＰＤ１７１とＭＡ１７３とを有する。ＦＰＤ１７１は、ＭＡ１７３に比して大きい画素サイズを有するＸ線検出器である。
　【００１４】
　ＦＰＤ１７１とＭＡ１７３とは、スライド機構３９上に隣り合わせに配列される。ＦＰＤ１７１とＭＡ１７３とは、隙間を介して配列されていても、隙間無く配列されていてもどちらでも良い。Ｃアーム１３は、ＦＰＤ１７１とＭＡ１７３とのどちらか一方がＦＯＶに含まれるように、ＦＰＤ１７１とＭＡ１７３との配列方向に沿ってスライド可能に支持している。配列方向は、例えば、回転軸Ａ２に平行である。スライド機構３９は、スライド機構駆動部４１からの駆動信号の供給を受けて配列方向（スライド方向）に沿って電動でスライドすることで、ＦＰＤ１７１とＭＡ１７３とをスライドさせる。このようにスライド機構３９がスライドすることにより、使用するＸ線検出器をＦＰＤ１７１からＭＡ１７３へ、またはＭＡ１７３からＦＰＤ１７１へ切替える。なお、スライド機構３９とＣアーム１３とは独立に駆動可能である。
　【００１５】
　第１画像入力部３５は、ＦＰＤ１７１からの第１画像のデータを画像記憶部４３に入力する。第２画像入力部３７は、ＭＡ１７３からの第２画像のデータを画像記憶部４３に入力する。
　【００１６】
　画像処理部４５は、システム制御部５５からの制御に従って画像記憶部４３から第１画像のデータや第２画像のデータを読み出して画像処理する。画像処理された第１画像のデータや第２画像のデータは、画像記憶部４３に記憶される。
　【００１７】
　画像記憶部４３は、第１画像入力部３５からの第１画像のデータや第２画像入力部３７からの第２画像のデータ、画像処理部４５からの画像処理された第１画像のデータ、画像処理部４５からの画像処理された第２画像のデータを記憶する。
　【００１８】
　画像出力部４７は、システム制御部５５からの制御に従って画像記憶部４３から第１画像のデータや第２画像のデータを読み出して、表示部４９に供給する。表示部４９は、画像出力部４７からの第１画像や第２画像を所定のレイアウトで表示する。
　【００１９】
　機構制御部５１は、システム制御部５５からの制御に従ってスライド機構駆動部４１、寝台駆動部２１、絞り機構駆動部２９、及び傾斜機構駆動部３３をそれぞれ制御する。具体的には、機構制御部５１は、システム制御部５５からの制御信号に基づいてスライド機構駆動部４１を制御して、スライド機構３９に駆動信号を供給させる。機構制御部５１は、システム制御部５５からの制御信号に基づいて寝台駆動部２１を制御して、寝台に駆動信号を供給させる。機構制御部５１は、システム制御部５５からの制御信号に基づいて絞り機構駆動部２９を制御して、絞り機構２７に駆動信号を供給させる。機構制御部５１は、システム制御部５５からの制御信号に基づいて傾斜機構駆動部３３を制御して、傾斜機構３１に駆動信号を供給させる。
　【００２０】
　操作部５３は、操作者から入力デバイスを介して各種指令や情報入力を受け付け、受付けた指令や情報に応じた操作信号をシステム制御部５５に供給する。入力デバイスとしては、例えば、キーボードやマウス、各種ボタン、タッチキーパネル等が適用可能である。入力デバイスは、Ｘ線管１５の傾斜ボタン、ＦＰＤ１７１とＭＡ１７３との切替えボタンや、ＦＯＶサイズの切替えボタン等を有している。
　【００２１】
　システム制御部５５は、Ｘ線診断装置１の中枢として機能する。例えば、システム制御部５５は、操作部５３からの操作信号に応じて機構制御部５１、Ｘ線制御部２３、画像処理部４５、及び画像出力部４７を制御する。
　【００２２】
　次に第１実施形態に係るＸ線診断装置１の動作例について詳細に説明する。上述のように、第１実施形態に係るＸ線診断装置１は、ＦＰＤ１７１とＭＡ１７３との両方を搭載している。
ＦＰＤ１７１は、通常のＸ線撮影・透視において使用される。ＭＡ１７３は、例えば、穿通枝や非対称ステント等の微細な部分（２００μｍ以下）を観察するために使用される。
　【００２３】
　例えば、機構制御部５１は、スライド機構４１によるＦＰＤ１７１とＭＡ１７３とのスライドと、傾斜機構３１によるＸ線管１５の傾斜とを連動して制御する。より詳細には、上述のように、スライド機構駆動部４１は、機構制御部５１による制御に従ってスライド機構３９を駆動し、ＦＰＤ１７１とＭＡ１７３との何れか一方にＸ線管１５から発生されたＸ線が照射されるようにＦＰＤ１７１とＭＡ１７３とをスライドさせる。また、傾斜機構駆動部３３は、機構制御部５１による制御に従って傾斜機構３１を駆動し、実効焦点のサイズを変更するために前記Ｘ線管を傾斜させる。機構制御部５１は、スライド機構駆動部４１によるスライド機構３９の駆動に連動して傾斜機構駆動部３３による傾斜機構３１を制御する。
　【００２４】
　例えば、機構制御部５１は、
使用するＸ線検出器がＦＰＤ１７１からＭＡ１７３へ切替えられる場合、実効焦点のサイズが小さくなるようにＸ線管１５を傾かせる。逆に
使用するＸ線検出器がＭＡ１７３からＦＰＤ５１へ切替えられる場合、実効焦点のサイズが大きくなるようにＸ線管１５を傾かせる。
　【００２５】
　次に図３と図４とを参照しながらＸ線管１５の構造とＸ線管１５の傾斜について詳細に説明する。図３は、ＦＰＤ１７１使用時におけるＸ線管１５の配置を示す図である。図４は、ＭＡ１７３使用時におけるＸ線管１５の配置を示す図である。
　【００２６】
　図３と図４とに示すように、Ｘ線管１５は、内部が高真空に保たれた筐体１５１を有する。筐体１５１には、陰極１５２と陽極１５３とが設けられている。陰極１５２は、フィラメントからなる。陰極１５２は、高電圧発生部２５からフィラメント電流の供給を受けて発熱し電子を発生する。陽極１５３は、回転軸Ａ３回りに高速に回転する回転陽極である。陰極１５２と陽極１５３との間は、高電圧発生部２５により高電圧が印加されている。この高電圧により、陰極１５２で発生された電子は、ビーム状に集束しながら加速され、回転中の陽極１５３に衝突する。陽極１５３は、陰極１５２からの電子を受けてＸ線照射口に向けてＸ線を放射する。電子が衝突する陽極１５３上の領域は、焦点Ｐ１と呼ばれている。なお陽極１５３表面の法線方向から見た焦点Ｐ１は実焦点と呼ばれている。また、Ｘ線照射方向（図３においては、
ＦＰＤ１７１の検出面中心Ｐ２と焦点Ｐ１とを結ぶ軸Ａ４（以下、ＦＰＤ―焦点軸Ａ４と呼ぶことにする）
　【００２７】
　筐体１５１のＸ線照射口は、Ｘ線検出器１７側に設けられている。筐体１５１のＸ線照射口部には絞り機構２７が取り付けられている。絞り機構２７は、ＦＯＶサイズを変更するための絞り羽根２７１が移動可能に支持されている。典型的には、絞り機構２７には、複数の絞り羽根２７１が設けられている。絞り機構２７は、複数の絞り羽根２７１を連動して適切な位置に配置することで、ＦＯＶサイズを切替えたり、ＦＰＤ１７１やＭＡ１７３の形状に応じてＸ線照射野（ＦＯＶ）を四角形状や丸形状に成形したりできる。筐体１５１のＸ線照射口の反対側は、傾斜機構３１により傾斜可能に支持されている。
　【００２８】
　図３に示すように、
ＦＰＤ１７１使用時において傾斜機構３１は、回転軸Ａ３がＦＰＤ―焦点軸Ａ４に略直交するようにＸ線管１５を支持する。
　【００２９】
　図４に示すように、
ＭＡ１７３使用時において傾斜機構３１は、回転軸Ａ３がＭＡ１７３の検出面中心Ｐ３と焦点Ｐ１とを結ぶ軸Ａ５
に対して傾斜するようにＸ線管１５を支持する。
　【００３０】
　また、ＦＰＤ１７１使用時における検出面中心Ｐ２とＭＡ１７３使用時における検出面中心Ｐ３との位置を一致させ、さらに傾斜角度によらずに焦点Ｐ１位置を不動にさせる。
これにより、被検体Ｐの幾何学的拡大率を一定にすることができる。
　【００３１】
　次に機構制御部５１の制御のもとに行なわれるＸ線管１５の傾斜とＸ線検出器１７の切替えと絞り羽根２７１の移動との動作例について説明する。例えば、機構制御部５１は、操作部５３に設けられたＸ線検出器１７の切替えボタンが押されることを契機として、Ｘ線管１５の傾斜とＸ線検出器１７の切替えと絞り羽根２７１の移動とを実行する。
　【００３２】
　機構制御部５１は、ＦＰＤ１７１のためのＸ線管１５の傾斜角度と絞り羽根２７１の配置とをテーブルに記憶している。同様に、機構制御部５１は、ＭＡ１７３のためのＸ線管１５の傾斜角度と絞り羽根２７１の配置とをテーブルに記憶している。
ＦＰＤ１７１使用時における
絞り羽根２７１の配置
ＦＯＶがＦＰＤ１７１の検出面の形状とサイズとに略一致するように設定され
ＭＡ１７３使用時における
絞り羽根２７１の配置
ＦＯＶがＭＡ１７３の検出面の形状とサイズとに略一致するように設定される。
　【００３３】
　例えば、ＦＰＤ１７１からＭＡ１７３への切替え指示がなされると機構制御部５１は、ＭＡ１７３のための傾斜角度をテーブルから読み出し、読み出された傾斜角度にＸ線管１５が傾斜されるように傾斜機構駆動部３３を制御する。傾斜機構駆動部３３は、傾斜機構３１を駆動して、ＭＡ１７３のための傾斜角度までＸ線管１５を傾斜する。典型的には、ＭＡ１７３のための傾斜角度に配置されるように筐体１５１の陽極１５３側を持ち上げ陰極側１５２を下げる。同様に、機構制御部５１は、ＦＰＤ１７１からＭＡ１７３への切替え指示がなされると、ＭＡ１７３のための絞り羽根２７１の配置をテーブルから読み出し、読み出された配置に絞り羽根２７１が配置されるように傾斜機構駆動部３３を制御する。傾斜機構駆動部３３は、絞り機構２７を駆動して、ＭＡ１７３のための配置に絞り羽根２７１を移動する。
　【００３４】
　また、ＭＡ１７３からＦＰＤ１７１への切替え指示がなされると機構制御部５１は、ＦＰＤ１７１のための傾斜角度をテーブルから読み出し、読み出された傾斜角度にＸ線管１５が傾斜されるように傾斜機構駆動部３３を制御する。傾斜機構駆動部３３は、傾斜機構３１を駆動して、ＦＰＤ１７１のための傾斜角度までＸ線管１５を傾斜する。典型的には、ＦＰＤ１７１のための傾斜角度に配置されるように筐体１５１の陽極１５３側を下げ陰極側１５２を持ち上げる。同様に、機構制御部５１は、ＭＡ１７３からＦＰＤ１７１への切替え指示がなされると、ＦＰＤ１７１のための絞り羽根２７１の配置をテーブルから読み出し、読み出された配置に絞り羽根２７１が配置されるように傾斜機構駆動部３３を制御する。傾斜機構駆動部３３は、絞り機構２７を駆動して、ＭＡ１７３のための配置に絞り羽根２７１を移動する。
　【００３５】
　上記のようにＸ線診断装置１は、ＦＰＤ１７１とＭＡ１７３とをスライドさせるためのスライド機構３９を有している。スライド機構３９は、ユーザによるボタン操作を契機として、ＦＰＤ１７１とＭＡ１７３とを電動でスライドすることにより、使用するＸ線検出器を迅速に切替えることができる。このスライド機構３９により、従来必要であったＦＰＤ１７１とＭＡ１７３との切替え操作に際における、ＦＰＤやＭＡの退避・設置の操作は、第１実施形態においては無くなる。従ってＸ線診断装置は、ＦＰＤ１７１とＭＡ１７３との切替え操作に関するユーザの手間や切替え時間を削減することができる。
　【００３６】
　またＸ線診断装置１は、Ｘ線管１５を傾斜させるための傾斜機構３１を有している。傾斜機構３１は、ユーザによるボタン操作を契機として、実効焦点のサイズが変化するようにＸ線管１５を傾斜させることができる。具体的には、検出面中心と焦点とを結ぶ軸Ａ４、Ａ５に対する回転軸Ａ３（電子ビームの直進方向と略同一）を傾斜させる。Ｘ線管１５の傾斜により実効焦点サイズを変更することで、ＭＡ１７３使用時におけるＸ線量を確保しつつ、実効焦点のサイズを小さくできる。このため、従来生じていたＸ線量の確保と実効焦点のサイズの縮小との間に生じていた二律背反の関係を解消できる。この結果、Ｘ線量を確保するために、実効焦点のサイズを大きくする必要がないため、従来にしてＭＡ１７３に由来する第２画像の鮮鋭度が向上する。従ってＭＡ１７３の特性を有効活用しながら、微細な部分を精度良く抽出することができる。
　【００３７】
　かくして、第１実施形態によれば、検査効率や検査精度の向上を実現するＸ線診断装置を提供することが可能となる。
　【００３８】
　なお、上記の説明においてはＸ線検出器１７の切替え指示を契機として、Ｘ線管１５の傾斜とＸ線検出器１７の切替えと絞り羽根２７１の移動とが実行されるとした。しかしながら第１実施形態は、これに限定する必要はない。例えば、Ｘ線管１５の傾斜指示や実効焦点のサイズの切替え指示等がなされることを契機として、Ｘ線管１５の傾斜とＸ線検出器１７の切替えと絞り羽根２７１の移動とが実行されてもよい。」
（引４−ウ）
「【００５１】
　これら動作の実行後、機構制御部５１は、ユーザによりＸ線管１５の回転ボタンが押されることを契機として、Ｘ線管１５の回転を実行する。例えば、Ｘ線管１５は、回転ボタンが押されている間、所定の回転速度で回転する。そして回転ボタンが離された場合、Ｘ線管１５は、停止する。従って任意の方向に沿って実効焦点のサイズを変化させることができるので、任意の方向に沿ってＸ線画像の空間分解能を向上させることができる。Ｘ線管１５の回転による実効焦点のサイズの変更は、ＭＡ１７３を必要とするような高空間分解能が要求される場合、臨床的に特に有用である。」
（引４−エ）図１には、以下の図面が示されている。
（引４−オ）図２には、以下の図面が示されている。
（引４−カ）図３には、以下の図面が示されている。 
（引４−キ）図４には、以下の図面が示されている。 
 （イ）引用文献４に記載された発明 
　上記（ア）の記載事項及び図面を総合すると、引用文献４には、次の発明（以下、「引用発明」という。）が記載されていると認められる。
　「撮影機構１０を有しているＸ線診断装置１であって、
　撮影機構１０は、スタンドにより床に設置されたＣアームホルダ１１を有し、Ｃアームホルダ１１は、Ｃアーム１３をスライド可能に支持し、Ｃアーム１３は、Ｘ線管１５とＸ線検出器１７とを互いに向き合わせて搭載し、
　Ｘ線透視・撮影時においては、被検体Ｐが載置される天板１９がＸ線管１５とＸ線検出器１７との間に移動され、
　Ｘ線管１５のＸ線照射口には、絞り機構２７が取り付けられ、絞り機構２７は、Ｘ線を遮蔽する物質から構成された絞り羽根を移動可能に支持し、絞り羽根の位置が調整されることで、撮像視野（field of view：以下、ＦＯＶと呼ぶことにする）のサイズや形状が変化され、
　Ｘ線管１５は、Ｃアーム１３に取り付けられた傾斜機構３１上に搭載され、傾斜機構３１は、Ｘ線管１５を傾斜可能に支持し、Ｘ線管１５を傾斜させることで、Ｘ線の実効焦点のサイズを変化させ、
　Ｘ線検出器１７は、ＦＰＤ１７１とＭＡ１７３とを有し、ＦＰＤ１７１は、ＭＡ１７３に比して大きい画素サイズを有するＸ線検出器であり、
　ＦＰＤ１７１は、通常のＸ線撮影・透視において使用され、ＭＡ１７３は、例えば、穿通枝や非対称ステント等の微細な部分（２００μｍ以下）を観察するために使用され、
　使用するＸ線検出器がＦＰＤ１７１からＭＡ１７３へ切替えられる場合、実効焦点のサイズが小さくなるようにＸ線管１５を傾かせ、逆に、使用するＸ線検出器がＭＡ１７３からＦＰＤ５１へ切替えられる場合、実効焦点のサイズが大きくなるようにＸ線管１５を傾かせ、
　ＦＰＤ１７１使用時において傾斜機構３１は、回転軸Ａ３がＦＰＤ１７１の検出面中心Ｐ２と焦点Ｐ１とを結ぶ軸Ａ４に略直交するようにＸ線管１５を支持し、
　ＭＡ１７３使用時において傾斜機構３１は、回転軸Ａ３がＭＡ１７３の検出面中心Ｐ３と焦点Ｐ１とを結ぶ軸Ａ５に対して傾斜するようにＸ線管１５を支持し、
　ＦＰＤ１７１使用時における絞り羽根２７１の配置は、ＦＯＶがＦＰＤ１７１の検出面の形状とサイズとに略一致するように設定され、
　ＭＡ１７３使用時における絞り羽根２７１の配置は、ＦＯＶがＭＡ１７３の検出面の形状とサイズとに略一致するように設定される、
　Ｘ線診断装置１。」 
イ　引用文献５の記載事項
　原査定の拒絶の理由に引用された、本願の出願前に頒布された刊行物である特開２００５−２５３８０１号公報（以下「引用文献５」という。）には、図面とともに、次の事項が記載されている。
（引５−ア）
「【００１６】
　図１は本発明に係るＸ線診断装置の第１の実施形態を示す構成図であり、図２は、図１に示すＸ線診断装置１の詳細構成を示す概念図である。
・・・
【００２２】
　メイン制御部１３には、機械制御部１０、Ｘ線制御部１２等の各種制御部、撮影プロトコル選択部（Ｘ線条件入力部）１４、皮膚照射線量制限値入力部１５等の入力手段、撮影プロトコル表示部（Ｘ線条件表示部）１６、透視可能時間表示部１７、撮影可能枚数表示部１８等の表示手段、警告情報出力部１９が接続される。また、警告情報出力部１９は、表示装置やスピーカ等の出力手段で構成される。
【００２３】
　そして、撮影プロトコル選択部１４、皮膚照射線量制限値入力部１５等の入力手段から入力された情報に基づいてメイン制御部１３から機械制御部１０およびＸ線制御部１２に制御信号を与えられることによりＸ線診断装置１全体が管理または制御されるとともに、表示すべき情報が撮影プロトコル表示部１６、透視可能時間表示部１７、撮影可能枚数表示部１８等の表示手段に与えられて表示できるように構成される。
・・・
【００２５】
　撮影プロトコル選択部１４は、撮影条件や透視条件、予め撮影術式に応じて撮影条件および透視条件が設定された撮影プロトコルや検査プロトコルの選択情報等のＸ線条件情報をメインＣＰＵ２０に与えることにより、Ｘ線条件を設定する機能を有する。
【００２６】
　撮影プロトコル表示部１６は、撮影プロトコル選択部１４により設定された撮影条件および透視条件または選択された撮影プロトコルや検査プロトコル等のＸ線条件情報をメインＣＰＵ２０から受けて表示させる機能を有する。」
ウ　引用文献６の記載事項 
　原査定の拒絶の理由に引用された、本願の出願前に頒布された刊行物である特開２００７−８２６５０号公報（以下「引用文献６」という。）には、図面とともに、次の事項が記載されている。
（引６−ア）
「【００５２】
　本発明に係るＸ線診断装置は、主制御部１２として機能するコンピュータを含んで構成されている。主制御部１２のメインＣＰＵ５０は、Ｘ線診断装置の全体制御を実行する。このとき、メインＣＰＵ５０は、制御プログラムや各種データをＲＡＭ等の主記憶装置５１に展開することで、Ｘ線診断装置の各種制御を行う。
【００５３】
　撮影プロトコル記憶媒体５２は、各種の撮影術式（撮影部位や検査内容等）に応じた撮影プロトコルをあらかじめ記憶させておくための記憶媒体である。なお、撮影プロトコルとは、撮影術式に応じて事前に設定された管電流値、管電圧値、撮影時間等の設定値と画像処理プログラムとを含むデータである。
・・・
【００６０】
　ユーザは、ディスプレイ１０に表示された画面にしたがって操作部１１を操作することにより、管電流値、管電圧値、撮影時間や透視時間（Ｘ線曝射時間）等の撮影条件や透視条件の設定入力、電源のオン／オフの切り換え、後述のメンテナンス実施の有無の選択入力などを行う。
【００６１】
　ここで、撮影条件や透視条件の設定入力操作については、撮影プロトコル記憶媒体５２に記憶された各種の撮影プロトコルのうちから所望のものを選択指定することによって行うことも可能である。」
（３）対比・判断 
ア　対比 
　本件補正発明と引用発明とを対比する。
（ア）引用発明の「被検体Ｐ」、「Ｃアーム１３」、「Ｘ線管１５」、「Ｘ線検出器１７」及び「Ｘ線診断装置１」は、それぞれ、本件補正発明の「被検体」、「支持部材」、「Ｘ線管」、「Ｘ線検出部」及び「Ｘ線診断装置」に相当するところ、引用発明の「Ｃアーム１３は、Ｘ線管１５とＸ線検出器１７とを互いに向き合わせて搭載し」、「被検体Ｐが載置される天板１９がＸ線管１５とＸ線検出器１７との間に移動され」る「Ｘ線診断装置１」は、本件補正発明の「被検体を挟んで対向配置されるよう支持部材に支持されたＸ線管およびＸ線検出部を備えたＸ線診断装置」に相当する。
（イ）引用発明の「絞り機構２７」は、本件補正発明の「Ｘ線照射野絞り」に相当するところ、引用発明の「Ｘ線管１５のＸ線照射口に」「取り付けられ」、「Ｘ線を遮蔽する物質から構成された絞り羽根を移動可能に支持し、絞り羽根の位置が調整されることで、撮像視野（field of view：以下、ＦＯＶと呼ぶことにする）のサイズや形状が変化され」る「絞り機構２７」は、本件補正発明の「前記Ｘ線管から放射されるＸ線の照射範囲を調整するＸ線照射野絞り」に相当する。
（ウ）
ａ　引用発明の「傾斜機構３１」は、本件補正発明の「管球保持部」に相当するところ、引用発明の「Ｘ線管１５を傾斜可能に支持し、」「Ｃアーム１３に取り付けられた傾斜機構３１」は、本件補正発明の「前記支持部材に対する前記Ｘ線管の角度を変更可能に前記支持部材に対して前記Ｘ線管を保持」する「管球保持部」に相当する。
ｂ　また、引用発明は、「Ｘ線検出器１７は、ＦＰＤ１７１とＭＡ１７３とを有」することから、引用発明の「ＦＰＤ１７１の検出面」／「ＭＡ１７３の検出面」、及び「回転軸Ａ３」は、それぞれ、本件補正発明の「Ｘ線検出部の検出面」、及び「Ｘ線管の管軸」に相当するところ、引用発明の「ＦＰＤ１７１使用時において」は、「回転軸Ａ３がＦＰＤ１７１の検出面中心Ｐ２と焦点Ｐ１とを結ぶ軸Ａ４に略直交するようにＸ線管１５を支持し」、「ＭＡ１７３使用時において」は、「回転軸Ａ３がＭＡ１７３の検出面中心Ｐ３と焦点Ｐ１とを結ぶ軸Ａ５に対して傾斜するようにＸ線管１５を支持」する「傾斜機構３１」は、本件補正発明の「前記Ｘ線検出部の検出面に対する前記Ｘ線管の管軸の角度を、」「変更する管球保持部」に相当する。
ｃ　してみると、引用発明の「Ｘ線管１５を傾斜可能に支持し、」「Ｃアーム１３に取り付けられ」、「ＦＰＤ１７１使用時において」は、「回転軸Ａ３がＦＰＤ１７１の検出面中心Ｐ２と焦点Ｐ１とを結ぶ軸Ａ４に略直交するようにＸ線管１５を支持し」、「ＭＡ１７３使用時において」は、「回転軸Ａ３がＭＡ１７３の検出面中心Ｐ３と焦点Ｐ１とを結ぶ軸Ａ５に対して傾斜するようにＸ線管１５を支持」する「傾斜機構３１」と、本件補正発明の「前記支持部材に対する前記Ｘ線管の角度を変更可能に前記支持部材に対して前記Ｘ線管を保持し、前記Ｘ線検出部の検出面に対する前記Ｘ線管の管軸の角度を、撮影術式ごとの撮影条件と透視条件とを含む撮影プロトコルに応じて変更する管球保持部」とは、「前記支持部材に対する前記Ｘ線管の角度を変更可能に前記支持部材に対して前記Ｘ線管を保持し、前記Ｘ線検出部の検出面に対する前記Ｘ線管の管軸の角度を、変更する管球保持部」の点で共通する。
（エ）
ａ　上記（引４−イ）の【００３６】「Ｘ線管１５の傾斜により実効焦点サイズを変更することで、ＭＡ１７３使用時におけるＸ線量を確保しつつ、実効焦点のサイズを小さくできる。・・・この結果、Ｘ線量を確保するために、実効焦点のサイズを大きくする必要がないため、従来にしてＭＡ１７３に由来する第２画像の鮮鋭度が向上する。従ってＭＡ１７３の特性を有効活用しながら、微細な部分を精度良く抽出することができる。」、及び上記（引４−ウ）の【００５１】「実効焦点のサイズを変化させることができるので、・・・Ｘ線画像の空間分解能を向上させることができる」という記載に鑑みると、引用発明の「使用するＸ線検出器がＦＰＤ１７１からＭＡ１７３へ切替えられる場合、実効焦点のサイズが小さくなるようにＸ線管１５を傾かせ」ることが、Ｘ線画像の空間分解能（鮮鋭度）を向上させていることは明らかである。
ｂ　また、引用発明では、「ＭＡ１７３使用時における絞り羽根２７１の配置は、ＦＯＶがＭＡ１７３の検出面の形状とサイズとに略一致するように設定され」、「ＦＰＤ１７１は、ＭＡ１７３に比して大きい画素サイズを有する」ことから、引用発明において、「ＭＡ１７３使用時」は、「ＦＰＤ１７１使用時」と比べて、「ＦＯＶ」が狭く「設定される」ことは明らかである。
ｃ　してみると、引用発明の「使用するＸ線検出器がＦＰＤ１７１からＭＡ１７３へ切替えられる場合」は、本件補正発明の「分解能を向上させて照射野を狭くする場合」に相当する。
ｄ　よって、引用発明の「ＦＯＶ」は、本件補正発明の「照射野」に相当するところ、引用発明の「使用するＸ線検出器がＦＰＤ１７１からＭＡ１７３へ切替えられる場合、実効焦点のサイズが小さくなるようにＸ線管１５を傾かせ」、「ＭＡ１７３使用時における絞り羽根２７１の配置は、ＦＯＶがＭＡ１７３の検出面の形状とサイズとに略一致するように設定され」、「ＦＰＤ１７１は、ＭＡ１７３に比して大きい画素サイズを有する」ことと、本件補正発明の「前記撮影プロトコルに応じて分解能を向上させて照射野を狭くする場合は、前記Ｘ線管の実効焦点が小さくなるよう前記Ｘ線管の管軸の角度を変更するとともに当該管軸の変更後の角度に応じたサイズの照射野になるよう前記Ｘ線照射野絞りの開口のサイズを変更」することとは、「分解能を向上させて照射野を狭くする場合は、前記Ｘ線管の実効焦点が小さくなるよう前記Ｘ線管の管軸の角度を変更するとともに当該管軸の変更後の角度に応じたサイズの照射野になるよう前記Ｘ線照射野絞りの開口のサイズを変更」する点で共通する。
（オ）
ａ　上記（エ）ａの記載に鑑みると、引用発明の「使用するＸ線検出器がＭＡ１７３からＦＰＤ５１へ切替えられる場合、実効焦点のサイズが大きくなるようにＸ線管１５を傾かせ」ることが、Ｘ線画像の空間分解能（鮮鋭度）を低下させていることは明らかである。
ｂ　引用発明では、「ＦＰＤ１７１使用時における絞り羽根２７１の配置は、ＦＯＶがＦＰＤ１７１の検出面の形状とサイズとに略一致するように設定され」、「ＦＰＤ１７１は、ＭＡ１７３に比して大きい画素サイズを有するＸ線検出器であ」ることから、引用発明において、「ＦＰＤ１７１使用時」は、「ＭＡ１７３使用時」と比べて、「ＦＯＶ」が広く「設定される」ことは明らかである。
ｃ　してみると、引用発明の「使用するＸ線検出器がＭＡ１７３からＦＰＤ５１へ切替えられる場合」は、本件補正発明の「分解能を低下させて照射野を広げる場合」に相当する。
ｄ　よって、引用発明の「使用するＸ線検出器がＭＡ１７３からＦＰＤ１７１へ切替えられる場合、実効焦点のサイズが大きくなるようにＸ線管１５を傾かせ」、「ＦＰＤ１７１使用時における絞り羽根２７１の配置は、ＦＯＶがＦＰＤ１７１の検出面の形状とサイズとに略一致するように設定され」、「ＦＰＤ１７１は、ＭＡ１７３に比して大きい画素サイズを有する」ことと、本件補正発明の「前記撮影プロトコルに応じて分解能を低下させて照射野を広げる場合は、前記Ｘ線管の実効焦点が大きくなるよう前記Ｘ線管の管軸の角度を変更するとともに前記管軸の変更後の角度に応じたサイズの照射野になるよう前記Ｘ線照射野絞りの開口のサイズを変更する」こととは、「分解能を低下させて照射野を広げる場合は、前記Ｘ線管の実効焦点が大きくなるよう前記Ｘ線管の管軸の角度を変更するとともに前記管軸の変更後の角度に応じたサイズの照射野になるよう前記Ｘ線照射野絞りの開口のサイズを変更する」点で共通する。
イ　一致点・相違点 
　以上のことから、本件補正発明と引用発明とは、次の点で一致し、次の点で相違する。
  
（一致点）
　「被検体を挟んで対向配置されるよう支持部材に支持されたＸ線管およびＸ線検出部を備えたＸ線診断装置であって、
　前記Ｘ線管から放射されるＸ線の照射範囲を調整するＸ線照射野絞りと、
　前記支持部材に対する前記Ｘ線管の角度を変更可能に前記支持部材に対して前記Ｘ線管を保持し、前記Ｘ線検出部の検出面に対する前記Ｘ線管の管軸の角度を、変更する管球保持部と、
　を備え、
　分解能を向上させて照射野を狭くする場合は、前記Ｘ線管の実効焦点が小さくなるよう前記Ｘ線管の管軸の角度を変更するとともに当該管軸の変更後の角度に応じたサイズの照射野になるよう前記Ｘ線照射野絞りの開口のサイズを変更し、分解能を低下させて照射野を広げる場合は、前記Ｘ線管の実効焦点が大きくなるよう前記Ｘ線管の管軸の角度を変更するとともに前記管軸の変更後の角度に応じたサイズの照射野になるよう前記Ｘ線照射野絞りの開口のサイズを変更する、
　Ｘ線診断装置。」
（相違点）
　Ｘ線管の管軸の角度、及びＸ線照射野絞りの開口のサイズの変更が、本件補正発明では、「撮影術式ごとの撮影条件と透視条件とを含む撮影プロトコルに応じて」されるに対し、引用発明では、「ＦＰＤ１７１からＭＡ１７３へ切替えられる場合」及び「ＭＡ１７３からＦＰＤ１７１へ切替えられる場合」にされる点。
ウ　判断
　上記相違点について検討する。
　引用発明において、「ＦＰＤ１７１からＭＡ１７３へ」及び「ＭＡ１７３からＦＰＤ１７１へ」の「切替え」は、「ＦＰＤ１７１は、通常のＸ線撮影・透視において使用され、ＭＡ１７３は、例えば、穿通枝や非対称ステント等の微細な部分（２００μｍ以下）を観察するために使用され」、ここで、「ＦＰＤ１７１」は、通常使用される平面検出器であり、「ＭＡ１７３」はマイクロアンギオ検出器（引４−アを参照。）、すなわち、微細箇所の血管造影に使用される検出器であるから、「ＦＰＤ１７１」と「ＭＡ１７３」は、撮影部位や検査内容などの「撮影術式」に応じて選択されることになる。
　そして、Ｘ線診断装置において、撮影術式ごとに、撮影条件と透視条件とを含む撮影プロトコルが設定されることは、例えば、引用文献５（上記（２）イを参照。）及び引用文献６（上記（２）ウを参照。）に記載されているように周知技術である。
　そうすると、引用発明において、Ｘ線管の管軸の角度、及びＸ線照射野絞りの開口のサイズの変更が、撮影部位や検査内容などの「撮影術式」に応じてされる「ＦＰＤ１７１からＭＡ１７３へ」及び「ＭＡ１７３からＦＰＤ１７１へ」の「切替え」を契機とすることから、上記周知技術に鑑み、「撮影術式ごとの撮影条件と透視条件とを含む撮影プロトコルに応じて」される「ＦＰＤ１７１からＭＡ１７３へ」及び「ＭＡ１７３からＦＰＤ１７１へ」の「切替え」を契機とし、上記相違点に係る本件補正発明の構成とすることは、当業者が容易に想到し得たことである。
　そして、本件補正発明の奏する作用効果は、引用文献４〜６に記載された事項から予測される範囲内のものにすぎず、格別顕著なものということはできない。
　したがって、本件補正発明は、引用発明及び周知技術に基づいて当業者が容易に発明をすることができたものであり、特許法第２９条第２項の規定により、特許出願の際独立して特許を受けることができないものである。
３　本件補正についてのむすび 
　以上のとおり、本件補正発明は、特許出願の際独立して特許を受けることができないものであるから、本件補正は、特許法第１７条の２第６項において準用する同法第１２６条第７項の規定に違反するので、同法第１５９条第１項の規定において読み替えて準用する同法第５３条第１項の規定により却下すべきものである。
　よって、上記補正の却下の結論のとおり決定する。
 第３　本願発明について
１　本願発明
　平成３０年２月７日にされた手続補正は、上記のとおり却下されたので、本願の請求項１〜５に係る発明は、平成２８年１０月３日にされた手続補正により補正された特許請求の範囲の請求項１〜５に記載された事項により特定されるものであるところ、その請求項１に係る発明（以下「本願発明」という。）は、その請求項１に記載された事項により特定される、上記「第２」の「１（２）」に記載のとおりのものである。
２　原査定の拒絶の理由 
　原査定の要旨は次のとおりである。 
　本願の請求項１〜５に係る発明は、引用文献４（特開２０１１−１０４３５３号公報）に記載された発明、並びに、引用文献５（特開２００５−２５３８０１号公報）及び引用文献６（特開２００７−８２６５０号公報）に記載された周知技術に基づいて、当業者が容易に発明をすることができたものであるから、特許法第２９条第２項の規定により特許を受けることができない。
３　引用文献等
　原査定の拒絶の理由で引用された引用文献４ないし６及びその記載事項は、上記「第２」の「２（２）」に記載したとおりである。
４　対比・判断
　本願発明は、本件補正発明から「撮影プロトコルに応じて変更する」対象として、「Ｘ線照射野絞りの開口のサイズ」という限定事項を削除したものである。
　そうすると、本願発明の発明特定事項を全て含み、さらに他の事項を付加したものに相当する本件補正発明は、上記「第２」の「２（３）」に記載したとおり、引用発明及び周知技術に基づいて当業者が容易に発明をすることができたものであるから、本願発明も、引用発明及び周知技術に基づいて当業者が容易に発明をすることができたものである。
第４　むすび
　以上のとおり、本願発明は、特許法第２９条第２項の規定により特許を受けることができないから、他の請求項に係る発明について検討するまでもなく、本願は拒絶されるべきものである。
　よって、結論のとおり審決する。